(57)【要約】    【課題】  電車やバスなどの移動体を利用するユーザの携帯端末に対し、移動体の路線情報に基づき、行き先や停車位置に関連しかつユーザの趣味嗜好に適合する広告情報を提供する。    【解決手段】  移動体広告の携帯端末配信システムは、電車やバス等を含む移動体を利用するユーザが所持する携帯端末１０から送られる当該ユーザの位置情報に基づいて、路線情報提供装置２００から移動体に関する路線情報を取得して移動体を特定し、移動体の路線情報と共に、ユーザの趣味嗜好に関する情報に基づいて、広告情報提供装置３００から、移動体の行き先及びユーザの趣味指向を反映した広告情報を取得して携帯端末１０に提示する。【選択図】    図２
2005250081.tif 000002
【特許請求の範囲】
【請求項１】
移動体を利用するユーザが所持する携帯端末から送られる当該ユーザの位置情報に基づいて、路線情報提供装置から前記移動体に関する路線情報を取得して前記移動体を特定し、
前記移動体の路線情報に基づいて、広告情報提供装置から前記ユーザ毎に個別の広告情報を取得して、前記携帯端末に提示することを特徴とする移動体広告の携帯端末配信システム。
【請求項２】
前記移動体の路線情報と共に、前記ユーザの趣味嗜好に関する情報に基づいて、前記広告情報提供装置から、前記移動体の行き先及び前記ユーザの趣味指向を反映した広告情報を取得して前記携帯端末に提示することを特徴とする請求項１に記載の移動体広告の携帯端末配信システム。
【請求項３】
前記携帯端末が、
前記ユーザの現在の位置情報を検知する手段と、
前記位置情報を時系列に、時系列位置情報として記録する位置情報記憶部と、
前記ユーザの位置情報と前記路線情報とから前記ユーザが利用する前記移動体を特定する路線位置特定手段と、
前記移動体の路線情報と前記ユーザの趣味嗜好に関する情報に基づいて、前記広告情報提供装置から前記広告情報を検索して取得する広告情報検索手段とを備えたことを特徴とする請求項２に記載の移動体広告の携帯端末配信システム。
【請求項４】
前記携帯端末が、
前記ユーザの趣味嗜好に関する情報を広告選別情報として予め格納する広告選別情報記憶部を備え、
前記広告情報検索手段が前記広告選別情報記憶部から前記広告選別情報を読み出して前記広告情報提供装置から前記広告情報を検索することを特徴とする請求項３に記載の移動体広告の携帯端末配信システム。
【請求項５】
前記携帯端末が、
前記位置情報記憶部の時系列位置情報を用いて、前記ユーザの平均移動速度、移動方向、移動軌跡を含むユーザ移動履歴情報を算出し、前記ユーザ移動履歴情報と、前記移動体に関する路線情報を比較することで、前記ユーザが特定された移動体に乗っているかどうかを検証する手段を有することを特徴とする請求項３又は請求項４に記載の移動体広告の携帯端末配信システム。
【請求項６】
移動体を利用するユーザの位置情報に基づいて、路線情報提供装置から前記移動体に関する路線情報を取得して前記移動体を特定し、
前記移動体の路線情報に基づいて、広告情報提供装置から前記ユーザ毎に個別の広告情報を取得して提示することを特徴とする携帯端末。
【請求項７】
前記移動体の路線情報と共に、前記ユーザの趣味嗜好に関する情報に基づいて、前記広告情報提供装置の広告情報を検索し、前記移動体の行き先及び前記ユーザの趣味指向を反映した広告情報を提示することを特徴とする請求項６に記載の携帯端末。
【請求項８】
前記ユーザの現在の位置情報を検知する手段と、
前記位置情報を時系列に、時系列位置情報として記録する位置情報記憶部と、
前記ユーザの位置情報と前記路線情報とから前記ユーザが利用する前記移動体を特定する路線位置特定手段と、
前記移動体の路線情報と前記ユーザの趣味嗜好に関する情報に基づいて、前記広告情報提供装置から前記広告情報を検索して取得する広告情報検索手段とを備えたことを特徴とする請求項７に記載の携帯端末。
【請求項９】
前記ユーザの趣味嗜好に関する情報を広告選別情報として予め格納する広告選別情報記憶部を備え、
前記広告情報検索手段が前記広告選別情報記憶部から前記広告選別情報を読み出して前記広告情報提供装置から前記広告情報を検索することを特徴とする請求項８に記載の携帯端末。
【請求項１０】
前記位置情報記憶部の時系列位置情報を用いて、前記ユーザの平均移動速度、移動方向、移動軌跡を含むユーザ移動履歴情報を算出し、前記ユーザ移動履歴情報と、前記移動体に関する路線情報を比較することで、前記ユーザが特定された移動体に乗っているかどうかを検証する手段を有することを特徴とする請求項８又は請求項９に記載の携帯端末。
【請求項１１】
移動体を利用するユーザが所持する携帯端末上で実行され、広告情報を取得して提示する広告提示プログラムであって、
当該ユーザの位置情報に基づいて、路線情報提供装置から前記移動体に関する路線情報を取得して前記移動体を特定する機能と、
前記移動体の路線情報に基づいて、広告情報提供装置から前記ユーザ毎に個別の広告情報を取得して、前記携帯端末に提示する機能を有することを特徴とする携帯端末の広告提示プログラム。
【請求項１２】
前記移動体の路線情報と共に、前記ユーザの趣味嗜好に関する情報に基づいて、前記広告情報提供装置から、前記移動体の行き先及び前記ユーザの趣味指向を反映した広告情報を取得して前記携帯端末に提示する機能を有することを特徴とする請求項１１に記載の携帯端末の広告提示プログラム。
【請求項１３】
前記ユーザの趣味嗜好に関する情報を広告選別情報として予め格納する広告選別情報記憶部から、前記広告選別情報を読み出して前記広告情報提供装置から前記広告情報を検索する機能を有することを特徴とする請求項１２に記載の携帯端末の広告提示プログラム。
【請求項１４】
前記位置情報を時系列に格納した時系列位置情報を用いて、前記ユーザの平均移動速度、移動方向、移動軌跡を含むユーザ移動履歴情報を算出し、前記ユーザ移動履歴情報と、前記移動体に関する路線情報を比較することで、前記ユーザが特定された移動体に乗っているかどうかを検証する機能を有することを特徴とする請求項１２又は請求項１３に記載の携帯端末の広告提示プログラム。
【発明の詳細な説明】
【技術分野】
【０００１】
本発明は、移動体を利用しているユーザが所持している携帯端末に広告を配信する移動体広告の携帯端末配信システムに関し、特に、移動体の位置と行き先を検知しユーザの移動先に適合した広告情報を配信できる移動体広告の携帯端末配信システムに関する。
【背景技術】
【０００２】
従来の電車やバス等を含む移動体である公共交通機関での広告配信では、移動体自体が広告情報やその他の情報を提供する情報表示装置を備え、あらかじめ準備しておいた音声や画像や映像などを移動体に乗車しているユーザ全員に同じ内容で広告として提示する方法がとられている。
【０００３】
このような構成を有する従来の移動体における広告表示システムは、次のように動作する。すなわち、移動体が停車する地点に近づくと、手動または自動でその停車する地点近郊に関する広告情報を選択し、それを移動体が備えている情報表示装置を使って乗車しているユーザ全員に向けて流す方法である。
【０００４】
また、移動体にて移動するユーザ毎に広告配信を実現する手段としては、特開２００１−３５９１６６号公報（特許文献１）に開示されているような、ＧＰＳなどの位置情報検知装置付き携帯端末を用いた技術が提案されている。この特許文献１に開示される従来の携帯広告表示システムにおいては、ユーザが広告情報を希望するときに、携帯端末に対して情報を要求すると、位置情報検知装置から得られる位置情報と携帯端末で保持するユーザの趣味指向の情報に基づき、広告配信サーバから広告を取得して表示する方法が示されている。
【特許文献１】特開２００１−３５９１６６号公報
【発明の開示】
【発明が解決しようとする課題】
【０００５】
第１の問題点は、移動体単体では乗車しているユーザに同じ広告しか流す（提供する）ことができないということである。その理由は、移動体に備えられている広告表示・放送装置を用いて広告を流すので、乗車しているユーザ全員が同じ内容のものしか視聴できないためである。
【０００６】
第２の問題点は、移動体単体ではユーザの趣味指向を反映した個別広告ができないということである。その理由は、移動体がユーザの趣味指向を収集して反映する手段がないため、移動体の停車地点や現在位置などの情報に基づいた広告の選択しかできないのと、ユーザ個別に広告を流すための広告表示・放送手段がないためである。
【０００７】
第３の問題点は、移動体の位置情報や予め用意された広告情報に応じた広告しか流すことができないということである。
【０００８】
第４の問題点は、従来の携帯端末では移動体の停車場所の位置情報に基づいた広告提示ができないということである。
【０００９】
第５の問題点は、従来の携帯端末では移動体の行き先に応じた広告を流すことができないということである。その理由は、移動体の行き先やその行き先方向に関連した広告情報を取得する手段がないためである。
【００１０】
第６の問題点は、従来の携帯端末ではユーザが乗っている移動体の公共機関に関連する広告ができないということである。その理由は、従来の携帯端末単体ではユーザが移動体に乗っているのかどうかを判別することができないからである。
【００１１】
本発明の目的は、移動体を利用するユーザ毎に個別に広告情報を提示することができる移動体広告の携帯端末配信システムを提供することにある。
【００１２】
本発明の他の目的は、移動体の行き先に応じた広告情報をユーザに流すことができる移動体広告の携帯端末配信システムを提供することにある。
【００１３】
本発明のさらに他の目的は、移動体を利用するユーザの趣味指向を反映した広告情報をユーザ毎に提示することを可能とする移動体広告の携帯端末配信システムを提供することにある。
【課題を解決するための手段】
【００１４】
上記目的を達成する本発明の移動体広告の携帯端末配信システムは、移動体を利用するユーザが所持する携帯端末から送られる当該ユーザの位置情報に基づいて、路線情報提供装置から前記移動体に関する路線情報を取得して前記移動体を特定し、前記移動体の路線情報に基づいて、広告情報提供装置から前記ユーザ毎に個別の広告情報を取得して、前記携帯端末に提示することを特徴とする。
【００１５】
請求項２の移動体広告の携帯端末配信システムは、前記移動体の路線情報と共に、前記ユーザの趣味嗜好に関する情報に基づいて、前記広告情報提供装置から、前記移動体の行き先及び前記ユーザの趣味指向を反映した広告情報を取得して前記携帯端末に提示することを特徴とする。
【００１６】
請求項３の移動体広告の携帯端末配信システムは、前記携帯端末が、前記ユーザの現在の位置情報を検知する手段と、前記位置情報を時系列に、時系列位置情報として記録する位置情報記憶部と、前記ユーザの位置情報と前記路線情報とから前記ユーザが利用する前記移動体を特定する路線位置特定手段と、前記移動体の路線情報と前記ユーザの趣味嗜好に関する情報に基づいて、前記広告情報提供装置から前記広告情報を検索して取得する広告情報検索手段とを備えたことを特徴とする。
【００１７】
請求項４の移動体広告の携帯端末配信システムは、前記携帯端末が、前記ユーザの趣味嗜好に関する情報を広告選別情報として予め格納する広告選別情報記憶部を備え、前記広告情報検索手段が前記広告選別情報記憶部から前記広告選別情報を読み出して前記広告情報提供装置から前記広告情報を検索することを特徴とする。
【００１８】
請求項５の移動体広告の携帯端末配信システムは、前記携帯端末が、前記位置情報記憶部の時系列位置情報を用いて、前記ユーザの平均移動速度、移動方向、移動軌跡を含むユーザ移動履歴情報を算出し、前記ユーザ移動履歴情報と、前記移動体に関する路線情報を比較することで、前記ユーザが特定された移動体に乗っているかどうかを検証する手段を有することを特徴とする。
【００１９】
請求項６の本発明の携帯端末は、移動体を利用するユーザの位置情報に基づいて、路線情報提供装置から前記移動体に関する路線情報を取得して前記移動体を特定し、前記移動体の路線情報に基づいて、広告情報提供装置から前記ユーザ毎に個別の広告情報を取得して提示することを特徴とする。
【００２０】
請求項７の携帯端末は、前記移動体の路線情報と共に、前記ユーザの趣味嗜好に関する情報に基づいて、前記広告情報提供装置の広告情報を検索し、前記移動体の行き先及び前記ユーザの趣味指向を反映した広告情報を提示することを特徴とする。
【００２１】
請求項８の携帯端末は、前記ユーザの現在の位置情報を検知する手段と、前記位置情報を時系列に、時系列位置情報として記録する位置情報記憶部と、前記ユーザの位置情報と前記路線情報とから前記ユーザが利用する前記移動体を特定する路線位置特定手段と、前記移動体の路線情報と前記ユーザの趣味嗜好に関する情報に基づいて、前記広告情報提供装置から前記広告情報を検索して取得する広告情報検索手段とを備えたことを特徴とする。
【００２２】
請求項９の携帯端末は、前記ユーザの趣味嗜好に関する情報を広告選別情報として予め格納する広告選別情報記憶部を備え、前記広告情報検索手段が前記広告選別情報記憶部から前記広告選別情報を読み出して前記広告情報提供装置から前記広告情報を検索することを特徴とする。
【００２３】
請求項１０の携帯端末は、前記位置情報記憶部の時系列位置情報を用いて、前記ユーザの平均移動速度、移動方向、移動軌跡を含むユーザ移動履歴情報を算出し、前記ユーザ移動履歴情報と、前記移動体に関する路線情報を比較することで、前記ユーザが特定された移動体に乗っているかどうかを検証する手段を有することを特徴とする。
【００２４】
請求項１１の本発明は、移動体を利用するユーザが所持する携帯端末上で実行され、広告情報を取得して提示する広告提示プログラムであって、当該ユーザの位置情報に基づいて、路線情報提供装置から前記移動体に関する路線情報を取得して前記移動体を特定する機能と、前記移動体の路線情報に基づいて、広告情報提供装置から前記ユーザ毎に個別の広告情報を取得して、前記携帯端末に提示する機能を有する。
【００２５】
請求項１２の携帯端末の広告提示プログラムは、前記移動体の路線情報と共に、前記ユーザの趣味嗜好に関する情報に基づいて、前記広告情報提供装置から、前記移動体の行き先及び前記ユーザの趣味指向を反映した広告情報を取得して前記携帯端末に提示する機能を有する。
【００２６】
請求項１３の携帯端末の広告提示プログラムは、前記ユーザの趣味嗜好に関する情報を広告選別情報として予め格納する広告選別情報記憶部から、前記広告選別情報を読み出して前記広告情報提供装置から前記広告情報を検索する機能を有する。
【００２７】
請求項１４の携帯端末の広告提示プログラムは、前記位置情報を時系列に格納した時系列位置情報を用いて、前記ユーザの平均移動速度、移動方向、移動軌跡を含むユーザ移動履歴情報を算出し、前記ユーザ移動履歴情報と、前記移動体に関する路線情報を比較することで、前記ユーザが特定された移動体に乗っているかどうかを検証する機能を有する。
【発明の効果】
【００２８】
本発明の移動体広告の携帯端末配信システムによれば、以下に述べるような効果が得られる。
【００２９】
第１に、移動体を利用するユーザ別に広告情報を提供することができることである。
【００３０】
第2に、移動体に関連しユーザの趣味嗜好に応じた広告情報を提供することができることである。ユーザの趣味嗜好を保持しそれに基づいて広告を選別する手段を有するためである。
【００３１】
第３に、移動体の位置情報、行き先、停止位置に応じた広告情報を提供することができることである。ユーザが利用している移動体の路線情報に基づいて広告を選別する手段を有するためである。
【００３２】
第４に、上述したように移動体を利用するユーザ毎に、ユーザの趣味嗜好や移動体の行き先、停止位置に応じた極めて効果的な広告提示が行えることから、移動体を運営する事業者は、移動体の路線沿線の広告提供業者から従来の不特定多数を対象とするマス向け広告と比べてよりユーザ個別に合わせた効果の高い広告手段を提案することで広告募集を容易に行うことができる。
【実施例】
【００３３】
次に、本発明の好適な実施例について図面を参照して詳細に説明する。
【００３４】
図１は、本実施例による移動体広告の携帯端末配信システムの全体構成を示す図であり、図２は本システムに用いる携帯端末の構成を示すブロック図である。
【００３５】
図１に示すように、本実施例の移動体広告の携帯端末配信システムは、ユーザが所持する携帯電話及びその他の情報端末である携帯端末１０と、携帯端末１０に対して無線による移動通信サービスを提供する移動通信基地局１００と、路線情報のサービス提供を行う路線情報提供装置２００と、広告情報の提供を行う広告情報提供装置３００と、インターネット４００とからなる。
【００３６】
携帯端末１０は、移動通信基地局１００と通信することでインターネット４００を経由した通信を行うことができ、特に本システムの路線情報提供装置２００及び広告情報提供装置３００にアクセスして情報の提供を受けることができる。
【００３７】
図２に示すように、本実施例の携帯端末１０は、携帯端末を所持しているユーザの過去の位置情報を時系列で一定期間記録する位置情報記録部１１と、移動体の移動経路から路線上におけるユーザの位置を特定する路線位置特定手段１２と、表示する広告の選択を行なうためにユーザの趣味嗜好情報を記録する広告選別情報記録部１５と、路線位置特定手段１２と広告選別情報記録部１５から得られる情報に基づいて広告情報送信部４０から広告情報を検索する広告情報検索手段１３と、広告情報検索手段１３で取得した広告を表示する情報出力部１４とを備えて構成される。
【００３８】
なお、携帯端末１０には、広告情報を表示するための機能以外に種々の機能が備えられているが、本実施例では本発明の特徴的な要素のみを示し、その他の機能を実現するための要素を省略している。
【００３９】
携帯端末１０の位置情報記録部１１と路線位置特定手段１２に接続される位置情報検知装置２０は、携帯端末を所持しているユーザの現在位置を検知してユーザ位置情報として位置情報記録部１１と路線位置特定手段１２に対して提供する。
【００４０】
この位置情報検知装置２０は、携帯端末１０に予め搭載されている構成でもよいし、携帯端末１０と個別の装置として用意され、必要に応じて携帯端末１０に対して接続する構成であってもよい。
【００４１】
位置情報検知装置２０は、ＧＰＳなどの機能によって実現され、携帯端末１０を持つユーザの現在位置を取得して、ユーザ位置情報（緯度と経度の情報）として携帯端末１０に提供する。
【００４２】
位置情報記録部１１は、位置情報検知装置２０から得られたユーザ位置情報を時系列に記録する。位置情報記録部１１に時系列に記録されたユーザ位置情報（時系列位置情報）は、路線位置特定手段１２において、携帯端末１０を所持するユーザの現在位置、平均移動速度、移動方向、移動軌跡を含むユーザ移動履歴情報の算出や、位置情報の履歴からの高次曲線近似によるユーザの今後の移動先予測、停止地点やその停止時間などの算出に利用される。
【００４３】
路線位置特定手段１２は、携帯端末１０を所持するユーザが現在どのような移動体に乗っているのかを特定すると共に、携帯端末１０を所持するユーザの現在位置、平均移動速度、移動方向、移動軌跡を含むユーザ移動履歴情報の算出を行う。
【００４４】
具体的には、路線位置特定手段１２は、位置情報検知装置２０から得られるユーザ位置情報と、位置情報記録部１１から得られるユーザの時系列位置情報を用いて、路線情報送信部３０から得られる移動体の位置、移動体の路線図、停車位置などの路線情報と比較することで、ユーザが現在利用していると推定される移動体を特定すると共に、その移動体に関する行き先、停車地点に関する情報などを路線情報送信部３０から取得する。
【００４５】
路線情報送信部３０は、携帯端末１０とインターネット４００を経由して無線又は有線で接続される、路線情報の提供サービスを行う路線情報提供装置２００に備えられており、移動体が移動する路線の移動経路情報や停車位置情報等を含む路線情報を携帯端末１０からの要求に応じて送信する。
【００４６】
この路線情報提供装置２００は、例えば、移動体を運営する事業者が有する路線情報提供センタ等に設置される。
【００４７】
具体的には、路線情報送信部３０は、路線位置特定手段１２からの要求に応じて、携帯端末１０からユーザ位置情報として送られるユーザの現在位置の近傍に存在する移動体に関する情報と、その移動体に対する路線情報を送信する。
【００４８】
広告情報送信部４０は、携帯端末１０とインターネット４００を経由して無線又は有線で接続される、広告情報の提供サービスを行う広告情報提供装置３００に備えられており、広告情報検索手段１３からの要求に応じて、路線位置特定手段１２から得られる現在のユーザ位置情報や行き先情報と、広告選別情報記録部１５から得られるユーザの趣味嗜好に関する情報からなる広告選別情報情報とに基づいて、ユーザの現在位置や行き先に関連しかつユーザの趣味嗜好に適合した広告情報を送信する。
【００４９】
この広告情報提供装置３００は、移動体の路線沿線の広告提供業者が有する広告情報提供センタ等に設置される。
【００５０】
図１の例では、路線情報送信部３０と広告情報送信部４０とがそれぞれ路線情報提供装置２００と広告情報提供装置３００に備えられている場合を示したが、これらが路線情報と広告情報の提供を行う単一のセンタに設置されていてもよい。
【００５１】
また、広告情報提供装置３００については、複数の広告エリアに応じて存在する複数の広告情報提供センタにそれぞれ設置されている場合もある。
【００５２】
携帯端末１０の広告情報検索手段１３は、路線位置特定手段１２からの携帯端末１０を所持するユーザの乗っている移動体に関する情報と、広告選別情報記録部１５から得られるユーザの趣味嗜好情報を元に、広告情報送信部４０にユーザの趣味嗜好とユーザの現在位置や行き先に関連した広告情報の送信を要求し、その送信された広告情報を情報出力部１４によって表示・再生する。
【００５３】
携帯端末１０の情報出力部１４は、広告情報を構成する画像、音声、テキストなどを表示・再生する機能を有し、広告情報検索手段１３から得られる広告情報を表示・再生する液晶ディスプレイや有機ＥＬディスプレイを含む薄型表示装置等の表示装置や広告情報を音声によって再生するスピーカを含む音声出力手段によって実現される。
【００５４】
広告選別情報記録部１５は、携帯端末１０を所持するユーザの趣味嗜好に関する情報を広告選別情報として記録するための機構であり、趣味嗜好に関する情報としてのキーワードやユーザ自身の個人情報が記録される。この広告選別情報記録部１５への広告選別情報は、携帯端末１０を所持するユーザ自身によって予め記録される。
【００５５】
広告情報検索手段１３によって、広告選別情報記録部１５からユーザの趣味嗜好に合わせた広告選別情報が読み出される。
【００５６】
上記携帯端末１０、路線情報送信部３０及び広告情報送信部４０は、それぞれコンピュータ装置によって実現される。携帯端末１０の各機能は、ハードウェア的に実現することが可能であることは勿論として、ソフトウェア的に実現することも可能である。
【００５７】
携帯端末１０の路線位置特定手段１２、広告情報検索手段１３の各機能は、携帯端末１０を構成するプログラム制御可能なコンピュータ処理装置上で、各手段の機能を実現するプログラム（広告提示プログラム）をロードして実行しコンピュータの動作を制御することにより、固有の機能として実現できる。
【００５８】
路線情報提供装置２００の路線情報送信部３０及び広告情報提供装置３００の広告情報送信部４０についても、インターネット４００を介して情報提供を行うサーバの機能として実現することができる。
【００５９】
次に、図３のフローチャートを参照して本実施例による移動体広告の携帯端末配信システムの動作について詳細に説明する。
【００６０】
まず、位置情報検知装置２０において、携帯端末１０を所持するユーザの現在位置を示すユーザ位置情報を検知する（ステップ１０１）。
【００６１】
そして、位置情報記録部１１に、ステップ１０１で検知されたユーザ位置情報を時系列に、時系列位置情報として記録する（ステップ１０２）。
【００６２】
次に、路線位置特定手段１２において、ステップ１０１で検知されたユーザ位置情報を路線情報送信部３０に送信して路線情報の送信を要求することで、路線情報送信部３０から移動体の位置、移動体の路線図、停車位置などの路線情報を取得し、ユーザ位置情報と取得した路線情報とを照合することにより、そのユーザが位置する場所の近郊を走行中の移動体（例えば、○○路線の電車やバス等）を特定する（ステップ１０３）。
【００６３】
さらに、路線位置特定手段１２において、位置情報記録部１１にステップ１０２で時系列に記録されたユーザの時系列位置情報を用いて、携帯端末１０を所持するユーザの平均移動速度、移動方向、移動軌跡などを含むユーザ移動履歴情報を算出して求める（ステップ１０４）。
【００６４】
さらに、路線位置特定手段１２にて、ステップ１０４で算出して求めたユーザ移動履歴情報と、ステップ１０３で特定された移動体に関する路線情報を比較することによって、携帯端末１０のユーザがステップ１０３で特定された移動体に乗っているかどうかを検証する（ステップ１０５）。もしも、ユーザの乗っている移動体が先に特定した移動体と違っていると判断される場合には、ステップ１０３に戻って再度移動体の特定を行う。
【００６５】
これは、現在のユーザ位置情報によって取得した路線情報から移動体を特定しただけでは、携帯端末１０を所持するユーザが実際にその移動体に乗車しているかどうかを決定できないからである。そのため、算出した移動履歴情報と路線情報を用いてユーザが特定した移動体に乗車していることを検証する。
【００６６】
さらに、ユーザが特定された移動体を利用していることが検証された場合、路線位置特定手段１２にて、ステップ１０５で検証された移動体の行き先、停車位置などを含む移動体の路線情報を路線情報送信部３０から取得する（ステップ１０６）。
【００６７】
次に、広告情報検索手段１３にて、広告選別情報記録部１５からユーザの趣味嗜好に合わせた広告を選別するための広告選別情報を読み出す（ステップ１０７）。
【００６８】
そして、広告情報検索手段１３にて、ステップ１０６で取得した路線情報と、ステップ１０７で取得した広告選別情報に基づいて広告情報送信部４０の広告情報を検索することで、広告情報送信部４０から移動体の行き先、停車位置に関する広告情報であって、かつユーザの趣味嗜好に合わせた広告情報を取得する（ステップ１０８）。
【００６９】
最後に、情報出力部１４において、ステップ１０８で取得した広告情報を表示または再生する（ステップ１０９）。
【００７０】
上記本実施例の移動体広告の携帯端末配信システムによる効果について説明する。
【００７１】
移動体を利用しているユーザ別に所持する携帯端末に広告情報を流すことが可能となると共に、移動体の位置情報、行き先、停止位置に対応しかつユーザの趣味嗜好に適した広告情報を提示することができる。
【００７２】
また、移動体を運営する事業者によれば、移動体の路線沿線の広告提供業者から広告募集をする場合に、従来型の不特定多数を対象としたマス向け広告と比べてよりユーザ個別に合わせた効果の高い広告手段を提供できることを提案することで広告募集が容易に行える。
【００７３】
以上、好ましい実施例をあげて本発明を説明したが、本発明は必ずしも上記実施例に限定されるものではない。本発明の要旨を逸脱しない範囲内において種々の変形が可能であることは言うまでもない。
【図面の簡単な説明】
【００７４】
【図１】本発明の実施例による移動体広告の携帯端末配信システムのシステム構成を示すブロック図である。
【図２】本発明の実施例による携帯端末の内部構成を示すブロック図である。
【図３】本発明の実施例による移動体広告の携帯端末配信システムにおける動作を説明するフローチャートである。
【符号の説明】
【００７５】
１０：携帯端末
１１：位置情報記録部
１２：路線位置特定手段
１３：広告情報検索手段
１４：情報出力部
１５：広告選別情報記録部
２０：位置情報検知装置
３０：路線情報送信部
４０：広告情報送信部
１００：移動通信基地局
２００：路線情報提供装置
３００：広告情報提供装置
４００：インターネット
【図１】
2005250081.tif 000003
【図２】
2005250081.tif 000004
【図３】
2005250081.tif 000005